(57)【要約】      （修正有）【課題】操作者の操作ミスを減少させることができる監視制御装置、監視制御方法及びコンピュータプログラムを提供する。【解決手段】監視制御装置２０は、シミュレーション部と、出力部とを持つ。シミュレーション部２０４は、シミュレーション対象となる建物内における電源系統上の複数の機器のうち、操作者が選択した特定の機器の動作状態を変更した際に生じる特定の機器と異なる機器の動作状態の変化をシミュレーションし、シミュレーション結果で示される複数の機器の動作状態と、所定の状態における複数の機器の動作状態とを比較して、シミュレーション結果で示される複数の機器の動作状態と、所定の状態における複数の機器の動作状態とで動作状態が異なる機器の有無を判別する。出力部２０７は、動作状態が異なる機器がある場合、動作状態が異なる機器の情報を出力する。【選択図】図２
2016197374.tif 000002
【特許請求の範囲】
【請求項１】
シミュレーション対象となる建物内における電源系統上の複数の機器のうち、操作者が選択した特定の機器の動作状態を変更した際に生じる前記特定の機器と異なる機器の動作状態の変化をシミュレーションし、シミュレーション結果で示される前記複数の機器の動作状態と、所定の状態における前記複数の機器の動作状態とを比較して、シミュレーション結果で示される前記複数の機器の動作状態と、所定の状態における前記複数の機器の動作状態とで動作状態が異なる機器の有無を判別するシミュレーション部と、
動作状態が異なる機器がある場合、動作状態が異なる機器の情報を出力する出力部と、
を備える監視制御装置。
【請求項２】
前記出力部は、動作状態が異なる機器の情報を、シミュレーション結果で示される前記複数の機器の動作状態と、所定の状態における前記複数の機器の動作状態とで動作状態が同じ機器の情報と異なる表示態様で表示する、請求項１に記載の監視制御装置。
【請求項３】
前記出力部は、動作状態が異なる機器の情報を音声によって出力する、請求項１に記載の監視制御装置。
【請求項４】
前記出力部は、動作状態が異なる機器の情報を媒体に印刷する、請求項１に記載の監視制御装置。
【請求項５】
前記所定の状態は、前記シミュレーションが行われる時点における電源系統上の機器の動作状態であり、
前記シミュレーション部は、シミュレーション結果で示される前記複数の機器の動作状態と、前記シミュレーションが行われる時点における前記複数の機器の動作状態とを比較して、シミュレーション結果で示される前記複数の機器の動作状態と、前記シミュレーションが行われる時点における前記複数の機器の動作状態とで動作状態が異なる機器の有無を判別する、請求項１から４のいずれか一項に記載の監視制御装置。
【請求項６】
前記所定の状態は、前記操作者が予測した電源系統上の機器の変更後の動作状態であり、
前記シミュレーション部は、シミュレーション結果で示される前記複数の機器の動作状態と、前記操作者が予測した前記複数の機器の変更後の動作状態とを比較して、シミュレーション結果で示される前記複数の機器の動作状態と、前記前記操作者が予測した前記複数の機器の変更後の動作状態とで動作状態が異なる機器の有無を判別する、請求項１から４のいずれか一項に記載の監視制御装置。
【請求項７】
前記電源系統上の機器の動作状態の切り替えと連動して動作状態が切り替わる前記電源系統上の他の機器の情報を記憶する記憶部をさらに備え、
前記シミュレーション部は、前記シミュレーションとして、前記特定の機器の動作状態の切り替えとともに、前記記憶部に基づいて前記操作者の操作に応じて動作状態を変更した前記特定の機器と連動して動作状態が切り替わる前記他の機器の動作状態を切り替える、請求項１から６のいずれか一項に記載の監視制御装置。
【請求項８】
シミュレーション対象となる建物内における電源系統上の複数の機器のうち、操作者が選択した特定の機器の動作状態を変更した際に生じる前記特定の機器と異なる機器の動作状態の変化をシミュレーションし、シミュレーション結果で示される前記複数の機器の動作状態と、所定の状態における前記複数の機器の動作状態とを比較して、シミュレーション結果で示される前記複数の機器の動作状態と、所定の状態における前記複数の機器の動作状態とで動作状態が異なる機器の有無を判別するシミュレーションステップと、
前記動作状態が異なる機器がある場合、動作状態が異なる機器の情報を出力する出力ステップと、
を有する監視制御方法。
【請求項９】
シミュレーション対象となる建物内における電源系統上の複数の機器のうち、操作者が選択した特定の機器の動作状態を変更した際に生じる前記特定の機器と異なる機器の動作状態の変化をシミュレーションし、シミュレーション結果で示される前記複数の機器の動作状態と、所定の状態における前記複数の機器の動作状態とを比較して、シミュレーション結果で示される前記複数の機器の動作状態と、所定の状態における前記複数の機器の動作状態とで動作状態が異なる機器の有無を判別するシミュレーションステップと、
動作状態が異なる機器がある場合、動作状態が異なる機器の情報を出力する出力ステップと、
をコンピュータに実行させるためのコンピュータプログラム。
【発明の詳細な説明】
【技術分野】
【０００１】
本発明の実施形態は、監視制御装置、監視制御方法及びコンピュータプログラムに関する。
【背景技術】
【０００２】
従来、電力の安定供給のために、開閉器等の受変電設備の監視や制御といった作業の重要性が増している。受変電設備を監視、制御する従来の監視制御装置では、操作卓又は制御盤盤面の押しボタンやレバーの操作に応じて制御が行われている。このような監視制御装置では、系統の事故発生時に建物の給電系統全体を自動的に制御する機能が設けられている。例えば、監視制御装置は、系統を保護する目的で、事故の状況に従って複数の遮断器を制御する。また、監視制御装置は、重要負荷を保護する目的で、発電機との連携を実行する。監視制御装置は、このよう機能を備えることで事故による影響が及ぶ範囲を小さくすることができる。
【０００３】
また、操作者の誤操作を防ぐ目的で、監視制御装置に予め動作をシミュレーションさせる機能が設けられる場合がある。しかし、従来の監視制御装置では、操作者が望む運用状態になっているか否かを判断することができなかった。そのため、電源系統を熟知していない操作者が誤った操作を行った場合、予期せぬ機器動作を招いてしまう可能性や思わぬ停電事故を引き起こしてしまう可能性があった。
【先行技術文献】
【特許文献】
【０００４】
【特許文献１】特開平１１−３２７６２７号公報
【発明の概要】
【発明が解決しようとする課題】
【０００５】
本発明が解決しようとする課題は、操作者の操作ミスを減少させることができる監視制御装置、監視制御方法及びコンピュータプログラムを提供することである。
【課題を解決するための手段】
【０００６】
実施形態の監視制御装置は、シミュレーション部と、出力部とを持つ。シミュレーション部は、シミュレーション対象となる建物内における電源系統上の複数の機器のうち、操作者が選択した特定の機器の動作状態を変更した際に生じる前記特定の機器と異なる機器の動作状態の変化をシミュレーションし、シミュレーション結果で示される前記複数の機器の動作状態と、所定の状態における前記複数の機器の動作状態とを比較して、シミュレーション結果で示される前記複数の機器の動作状態と、所定の状態における前記複数の機器の動作状態とで動作状態が異なる機器の有無を判別する。出力部は、動作状態が異なる機器がある場合、動作状態が異なる機器の情報を出力する。
【図面の簡単な説明】
【０００７】
【図１】本実施形態における監視制御システム１００のシステム構成を示す構成図。
【図２】第１の実施形態における監視制御子局装置１０及び監視制御装置２０の機能構成を示す概略ブロック図。
【図３】機器情報テーブルの具体例を示す図。
【図４】シミュレーションモード画面の表示例を示す図。
【図５】シミュレーション後の表示例を示す図。
【図６】第１の実施形態における監視制御装置２０のシミュレーション処理の流れを示すフローチャート。
【図７】第２の実施形態における監視制御子局装置１０及び監視制御装置２０ａの機能構成を示す概略ブロック図。
【図８】第２の実施形態における監視制御装置２０ａのシミュレーション処理の流れを示すフローチャート。
【図９】第３の実施形態における監視制御子局装置１０及び監視制御装置２０ｂの機能構成を示す概略ブロック図。
【図１０】第３の実施形態における監視制御装置２０ｂのシミュレーション処理の流れを示すフローチャート。
【発明を実施するための形態】
【０００８】
以下、実施形態の監視制御装置、監視制御方法及びコンピュータプログラムを、図面を参照して説明する。
図１は、本実施形態における監視制御システム１００のシステム構成を示す構成図である。
監視制御システム１００は、監視制御子局装置１０と、監視制御装置２０とを備える。図１においては、各部屋２１−１〜２１−Ｎ（Ｎは２以上の整数）のそれぞれに監視制御子局装置１０が設置されている場合を例として示している。例えば、部屋２１−１には監視制御子局装置１０−１が設置され、部屋２１−Ｎには監視制御子局装置１０−Ｎが設置されている。また、監視制御子局装置１０−１には複数の受変電設備３０ａ−１〜３０ａ−Ｍ（Ｍは２以上の整数）が接続され、監視制御子局装置１０−Ｎには複数の受変電設備３０ｂ−１〜３０ｂ−Ｎが接続されている。なお、以下の説明では、監視制御子局装置１０−１〜１０−Ｎについて特に区別しない場合には監視制御子局装置１０と記載する。また、以下の説明では、受変電設備３０ａ−１〜３０ａ−Ｍ及び３０ｂ−１〜３０ｂ−Ｎについて特に区別しない場合には受変電設備３０と記載する。各部屋２１−１〜２１−Ｎは、同じ建物内の部屋であってもよいし、異なる建物内の部屋であってもよい。
【０００９】
監視制御子局装置１０は、パーソナルコンピュータ等の情報処理装置を用いて構成される。監視制御子局装置１０は、監視制御装置２０の制御に従って、自装置に接続している受変電設備３０の制御及び監視を行う。監視制御子局装置１０は、受変電設備３０から接点信号を定期的に取得し、取得した接点信号を機器状態情報として監視制御装置２０に送信する。接点信号は、受変電設備３０がＯＮ状態であるかＯＦＦ状態であるかを示す信号である。
【００１０】
監視制御装置２０は、例えばパーソナルコンピュータ、ノートパソコン、スマートフォン、タブレット装置、携帯電話等の情報処理装置を用いて構成される。監視制御装置２０は、各監視制御子局装置１０から機器状態情報を取得する。監視制御装置２０は、取得した機器状態情報に基づいて、電源系統上に設置されている受変電設備３０の動作状態を認識する。ここで、動作状態とは、ＯＮ状態、ＯＦＦ状態のいずれかを表す。また、監視制御装置２０は、通常モードとシミュレーションモードとを有する。シミュレーションモードは、操作者が所望する部屋の電源系統上の受変電設備３０の動作状態の変化をシミュレーションするためのモードである。監視制御装置２０は、シミュレーションモードで動作する場合、以下の処理を実行する。
【００１１】
まず、監視制御装置２０は、操作者の操作に応じて、シミュレーション対象となる部屋における電源系統上の複数の受変電設備３０のうち、操作者が選択した受変電設備３０（特定の機器）の動作状態を変更した際に生じる電源系統上の他の受変電設備３０の動作状態の変化をシミュレーションする。次に、監視制御装置２０は、シミュレーション結果で示される電源系統上の受変電設備３０の動作状態（以下、「シミュレーション実行後の機器動作状態」という。）と、シミュレーション対象となった部屋の所定の状態における電源系統上の受変電設備３０の動作状態とに基づいて、各受変電設備３０について動作状態の差異の有無を判別する。具体的には、監視制御装置２０は、シミュレーション実行後の機器動作状態と、所定の状態における電源系統上の受変電設備３０の動作状態とで動作状態が異なる受変電設備３０の有無を判別する。そして、監視制御装置２０は、判別結果に基づいて出力を制御する。
【００１２】
所定の状態の具体例として、シミュレーションが行われる時点における電源系統上の受変電設備３０の動作状態（以下、「現状の機器動作状態」という。）が挙げられる。また、監視制御装置２０が判別結果を出力する出力態様としては、表示による出力、音声による出力、印刷による出力などがある。なお、監視制御装置２０が判別結果を出力する出力態様は、上述の態様に限定される必要はない。以下の説明では、シミュレーション実行後の機器動作状態と、所定の状態における電源系統上の受変電設備３０の動作状態とで動作状態が異なる受変電設備３０を差異あり設備と記載する。また、以下の説明では、シミュレーション実行後の機器動作状態と、所定の状態における電源系統上の受変電設備３０の動作状態とで動作状態が同じ受変電設備３０を差異なし設備と記載する。
【００１３】
受変電設備３０は、電源系統上に設けられる設備である。例えば、受変電設備３０は、遮断器、断路器、変圧器、発電機及び計器用変圧変流器（ＶＣＴ（Voltage and Current Transformers）またはＭＯＦ（Metering Out Fit））などである。なお、受変電設備３０は、電源系統上に設けられた負荷であってもよい。負荷は、例えば空調機、家電などである。
以下、監視制御システム１００の具体的な処理について複数の実施形態を例に説明する。
【００１４】
（第１の実施形態）
図２は、第１の実施形態における監視制御子局装置１０及び監視制御装置２０の機能構成を示す概略ブロック図である。
まず、監視制御子局装置１０の機能構成について説明する。監視制御子局装置１０は、バスで接続されたＣＰＵ（Central Processing Unit）やメモリや補助記憶装置などを備え、監視制御プログラムを実行する。監視制御プログラムの実行によって、監視制御子局装置１０は、入出力部１０１及び伝送処理部１０２を備える装置として機能する。なお、監視制御子局装置１０の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されてもよい。また、監視制御子局装置１０は、専用のハードウェアによって実現されてもよい。監視制御プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ、半導体記憶装置（例えばＳＳＤ：Solid State Drive）等の可搬媒体、コンピュータシステムに内蔵されるハードディスクや半導体記憶装置等の記憶装置である。監視制御プログラムは、電気通信回線を介して提供されてもよい。
【００１５】
入出力部１０１は、受変電設備３０から接点信号を取得する。
伝送処理部１０２は、監視制御装置２０との間で通信を行う。伝送処理部１０２は、入出力部１０１によって取得された接点信号を伝送信号に変換して機器状態情報として監視制御装置２０に送信する。
【００１６】
次に、監視制御装置２０の機能構成について説明する。監視制御装置２０は、バスで接続されたＣＰＵやメモリや補助記憶装置などを備え、監視制御プログラムを実行する。監視制御プログラムの実行によって、監視制御装置２０は、伝送処理部２０１、機器情報記憶部２０２、系統データ記憶部２０３、シミュレーション部２０４、入出力制御部２０５、操作部２０６及び表示部２０７を備える装置として機能する。なお、監視制御装置２０の各機能の全て又は一部は、ＡＳＩＣやＰＬＤやＦＰＧＡ等のハードウェアを用いて実現されてもよい。また、監視制御装置２０は、専用のハードウェアによって実現されてもよい。監視制御プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ、半導体記憶装置（例えばＳＳＤ）等の可搬媒体、コンピュータシステムに内蔵されるハードディスクや半導体記憶装置等の記憶装置である。監視制御プログラムは、電気通信回線を介して提供されてもよい。
【００１７】
伝送処理部２０１は、監視制御子局装置１０との間で通信を行う。伝送処理部２０１は、監視制御子局装置１０から機器状態情報を受信する。
機器情報記憶部２０２は、磁気ハードディスク装置や半導体記憶装置などの記憶装置を用いて構成される。機器情報記憶部２０２は、機器情報テーブルを記憶している。
【００１８】
図３は、機器情報テーブルの具体例を示す図である。
機器情報テーブルは、受変電設備３０に関する情報を含むレコード（以下、「機器情報レコード」という。）によって構成される。機器情報テーブルは、機器情報レコードを複数有する。図３に示されるように、機器情報レコードは、機器ＩＤ、機器名、動作状態、関連機器ＩＤ、関連機器名、関連機器動作状態の各値を有する。機器ＩＤの値は、受変電設備３０を識別するための識別情報を表す。機器名の値は、同じ機器情報レコードの機器ＩＤで識別される受変電設備３０の名称を表す。動作状態の値は、同じ機器情報レコードの機器ＩＤで識別される受変電設備３０の動作状態を表す。関連機器ＩＤの値は、同じ機器情報レコードの機器ＩＤで識別される受変電設備３０に関連する受変電設備３０（以下、「関連受変電設備」）を識別するための識別情報を表す。ここで、関連受変電設備とは、ある受変電設備３０の動作状態に影響を受ける受変電設備３０である。より具体的には、ある受変電設備３０の動作状態が変更された場合に、当該受変電設備３０と連動して動作状態が変更される受変電設備３０である。関連機器名の値は、同じ機器情報レコードの機器ＩＤで識別される関連受変電設備の名称を表す。関連機器動作状態の値は、同じ機器情報レコードの機器ＩＤで識別される関連受変電設備の動作状態を表す。
【００１９】
図３に示される例では、機器情報テーブルには複数の機器ＩＤが登録されている。これらの機器ＩＤは、“ＡＡＡ”及び“ＢＢＢ”である。図３において、機器情報テーブルの最上段に登録されている機器情報レコードは、機器ＩＤの値が“ＡＡＡ”、機器名の値が“Ａ”、動作状態の値が“ＯＮ”、関連機器ＩＤの値が“ＣＣＣ”、関連機器名の値が“Ｃ”、関連機器動作状態の値が“ＯＮ”である。すなわち、機器ＩＤ“ＡＡＡ”で識別される受変電設備３０の名称が“Ａ”であり、機器名“Ａ”の受変電設備３０の動作状態が“ＯＮ状態”の場合に、関連機器ＩＤ“ＣＣＣ”で識別される機器名“Ｃ”の関連受変電設備の動作状態が“ＯＮ状態”になることが表されている。
【００２０】
また、図３において、機器情報テーブルの３段目に登録されている機器情報レコードは、機器ＩＤの値が“ＡＡＡ”、機器名の値が“Ａ”、動作状態の値が“ＯＦＦ”、関連機器ＩＤの値が“ＣＣＣ”、関連機器名の値が“Ｃ”、関連機器動作状態の値が“ＯＦＦ”である。すなわち、機器ＩＤ“ＡＡＡ”で識別される受変電設備３０の名称が“Ａ”であり、機器名“Ａ”の受変電設備３０の動作状態が“ＯＦＦ状態”の場合に、関連機器ＩＤ“ＣＣＣ”で識別される機器名“Ｃ”の関連受変電設備の動作状態が“ＯＦＦ状態”になることが表されている。
【００２１】
図２に戻って、監視制御装置２０の説明を続ける。
系統データ記憶部２０３は、磁気ハードディスク装置や半導体記憶装置などの記憶装置を用いて構成される。系統データ記憶部２０３は、各部屋内の電源系統図のデータ（以下、「系統データ」という。）を記憶している。系統データは、各部屋における受変電設備３０の接続状態を示す系統データである。系統データは、操作部２０６を介して操作者が入力してもよいし、ネットワークを介して送信されてもよい。
【００２２】
シミュレーション部２０４は、自装置の動作モードがシミュレーションモードの場合に機能する。シミュレーション部２０４は、シミュレーションモード画面を表示部２０７に表示させる。シミュレーションモード画面は、シミュレーションに必要となる操作者からの指示を入力させるための画面である。シミュレーションモード画面には、操作者がシミュレーション対象としている部屋（以下、「対象部屋」という。）の系統データが表示される。
【００２３】
シミュレーション部２０４は、自装置のモードがシミュレーションモードである場合、受信された機器状態情報と、機器情報記憶部２０２に記憶されている機器情報テーブルとに基づいて、対象部屋の電源系統上の受変電設備３０の動作状態の変化をシミュレーションする。そして、シミュレーション部２０４は、シミュレーション結果で示されるシミュレーション実行後の機器動作状態と、対象部屋の所定の状態における電源系統上の受変電設備３０の動作状態とに基づいて、動作状態が異なる受変電設備３０の有無を判別する。そして、判別結果を入出力制御部２０５に出力する。
【００２４】
入出力制御部２０５は、監視制御装置２０内のデータの入出力を制御する。例えば、入出力制御部２０５は、操作部２０６を介して入力された操作者からの操作指示をシミュレーション部２０４に出力する。また、例えば、入出力制御部２０５は、シミュレーション部２０４から出力された判別結果に基づいて、差異あり設備と差異なし設備とを異なる表示態様で表示部２０７に表示させる。
【００２５】
操作部２０６は、キーボード、ポインティングデバイス（マウス、タブレット等）、タッチパネル、ボタン等の既存の入力装置を用いて構成される。操作部２０６は、操作者の指示を監視制御装置２０に入力する際に操作者によって操作される。操作部２０６は、シミュレーションを実行させる指示や、動作状態の変更対象となる受変電設備３０の選択を受け付ける。また、操作部２０６は、入力装置を監視制御装置２０に接続するためのインタフェースであってもよい。この場合、操作部２０６は、入力装置において操作者の入力に応じて生成された入力信号を監視制御装置２０に入力する。
【００２６】
表示部２０７は、液晶ディスプレイ、有機ＥＬ（Electro Luminescence）ディスプレイ、ＣＲＴ（Cathode Ray Tube）ディスプレイ等の画像表示装置である。表示部２０７は、入出力制御部２０５の制御に応じた表示を行う。表示部２０７は、画像表示装置を監視制御装置２０に接続するためのインタフェースであってもよい。この場合、表示部２０７は、入出力制御部２０５の制御に応じた表示データを表示するための映像信号を生成し、自身に接続されている画像表示装置に映像信号を出力する。
【００２７】
以下、図４及び図５を用いてシミュレーション部２０４によるシミュレーションの動作について具体的に説明する。図４はシミュレーションモード画面の表示例を示す図であり、図５はシミュレーション後の表示例を示す図である。図４及び図５において、各図形４０及び４１は受変電設備３０を表す。また、シミュレーションモード画面において、画面の上部に位置する受変電設備３０ほど電力会社の送電線に近い上位設備であり、下部に位置する受変電設備３０ほど電力会社の送電線から遠い下位設備である。
【００２８】
シミュレーションモード画面は、上述したように監視制御装置２０の動作モードがシミュレーションモードである場合に表示部２０７に表示される。図４に示される例では、シミュレーションモード画面に４系統で構成されるある部屋の系統データが表示されている。以下の説明では、系統データにおける系統について左から順に系統１、系統２、系統３、系統４と記載する。また、図４及び図５において、監視制御装置２０は、系統データに、各受変電設備３０の動作状態を付加して表示する。例えば、実線の受変電設備３０はＯＮ状態を表し、破線の受変電設備３０はＯＦＦ状態を表す。つまり、図４では、全ての受変電設備３０がＯＮ状態である。監視制御装置２０は、各受変電設備３０の動作状態を付加した表示を、監視制御子局装置１０から取得した最新の機器状態情報に基づいて行う。
【００２９】
以下、具体的な処理の流れについて説明する。
図４及び図５では、操作者が、一点鎖線４２で囲まれる受変電設備３０の動作状態を変更する場合を例に説明する。また、一点鎖線４２で囲まれる受変電設備３０と、一点鎖線４３で囲まれる受変電設備３０とが関連しているものとする。つまり、一点鎖線４３で囲まれる受変電設備３０が、一点鎖線４２で囲まれる受変電設備３０の関連受変電設備である。さらに、一点鎖線４２で囲まれる受変電設備３０の下位に位置する受変電設備３０は、一点鎖線４２で囲まれる受変電設備３０の関連受変電設備である。また、一点鎖線４３で囲まれる受変電設備３０の下位に位置する受変電設備３０は、一点鎖線４３で囲まれる受変電設備３０の関連受変電設備である。
【００３０】
まず、操作者は、シミュレーションモード画面において、一点鎖線４２で囲まれる受変電設備３０を選択して、変更後の動作状態を選択する。ここでは、操作者が、一点鎖線４２で囲まれる受変電設備３０の動作状態をＯＮ状態からＯＦＦ状態に変更する。そして、操作者は、不図示の実行ボタンを選択する。実行ボタンは、シミュレーションを実行する際に選択されるボタンである。この処理によって、シミュレーション部２０４は、選択された受変電設備３０の動作状態をＯＮ状態からＯＦＦ状態に変更する。
【００３１】
また、シミュレーション部２０４は、機器情報テーブルを参照し、動作状態を変更した受変電設備３０の関連機器に関する情報を取得する。具体的には、まずシミュレーション部２０４は、機器情報テーブルの機器ＩＤの項目を参照し、動作状態を変更した受変電設備３０の機器ＩＤに対応する機器情報レコードを選択する。次に、シミュレーション部２０４は、選択した機器情報レコードの動作状態の項目を参照し、変更後の動作状態に対応する機器情報レコードを選択する。そして、シミュレーション部２０４は、選択した機器情報レコードの関連機器ＩＤ及び関連機器動作状態の項目に登録されている各値を取得する。
【００３２】
ここでは、シミュレーション部２０４は、一点鎖線４２で囲まれる受変電設備３０の変更後の動作状態“ＯＦＦ状態”に対応する機器情報レコードから関連受変電設備の機器ＩＤ及び関連機器動作状態を取得する。例えば、シミュレーション部２０４は、一点鎖線４２で囲まれる受変電設備３０の変更後の動作状態“ＯＦＦ状態”に対応する機器情報レコードから関連受変電設備の機器ＩＤ及び関連機器動作状態“ＯＦＦ状態”を取得したとする。シミュレーション部２０４は、取得した関連受変電設備の機器ＩＤ及び関連機器動作状態に基づいて、関連受変電設備である一点鎖線４３で囲まれる受変電設備３０の動作状態をＯＮ状態からＯＦＦ状態に変更する。このシミュレーションの結果を図５に示す。
【００３３】
図５に示されるように、図４における一点鎖線４２で囲まれていた受変電設備３０の動作状態がＯＦＦ状態に変更されたため、機器情報テーブルに基づいて、一点鎖線４２で囲まれていた受変電設備３０の下位に接続されている関連受変電設備の動作状態もＯＦＦ状態に変更される。また、系統４に接続されている一点鎖線４３で囲まれていた受変電設備３０の動作状態もＯＦＦ状態に変更される。一点鎖線４３で囲まれていた受変電設備３０の動作状態がＯＦＦ状態に変更されたため、一点鎖線４３で囲まれていた受変電設備３０に関連する下位の受変電設備３０の動作状態もＯＦＦ状態に変更される。
【００３４】
その後、シミュレーション部２０４は現状の機器動作状態（例えば、図４における各受変電設備３０の動作状態）と、シミュレーション実行後の機器動作状態（例えば、図５における各受変電設備３０の動作状態）とを比較して、差異あり設備と差異なし設備とを判別する。本例では、系統１及び系統４における受変電設備３０の動作状態が変更されている。そのため、現状の機器動作状態と、シミュレーション実行後の機器動作状態とを比較すると、系統１及び系統４における受変電設備３０の動作状態に差異がある。つまり、現状の機器動作状態と、シミュレーション実行後の機器動作状態とで、系統１及び系統４における受変電設備３０の動作状態が異なる。
【００３５】
一方、系統２及び系統３における受変電設備３０の動作状態には差異がない。つまり、現状の機器動作状態と、シミュレーション実行後の機器動作状態とで、系統２及び系統３における受変電設備３０の動作状態が同じである。そこで、シミュレーション部２０４は、系統１及び系統４における受変電設備３０が差異あり設備であり、系統２及び系統３における受変電設備３０が差異なし設備であると判別する。その後、シミュレーション部２０４は、判別結果を生成する。そして、シミュレーション部２０４は、判別結果を入出力制御部２０５に出力する。さらに、シミュレーション部２０４は、差異あり設備の変更後の動作状態の情報と、現状の機器動作状態が付加された系統データとを入出力制御部２０５に出力する。
以上で、シミュレーション部２０４によるシミュレーションの動作についての説明を終了する。
【００３６】
図６は、第１の実施形態における監視制御装置２０のシミュレーション処理の流れを示すフローチャートである。なお、図６の処理は、操作者からシミュレーションを実行する旨が入力された場合に実行される。また、図６の処理開始時には、監視制御装置２０は通常モードで動作している。
シミュレーション部２０４は、自装置の動作モードを通常モードからシミュレーションモードに変更する（ステップＳ１０１）。シミュレーション部２０４は、対象部屋に設けられている機器（受変電設備３０）の最新の機器状態情報を伝送処理部２０１から入力する（ステップＳ１０２）。その後、シミュレーション部２０４は、入力した機器状態情報と、系統データ記憶部２０３に記憶されている系統データとに基づいて、対象部屋の系統データが示されるシミュレーションモード画面の画面データを入出力制御部２０５に出力する。入出力制御部２０５は、出力された画面データを表示部２０７に表示させる。表示部２０７は、入出力制御部２０５の制御に従って、画面データで示されるシミュレーションモード画面を表示する（ステップＳ１０３）。
【００３７】
操作部２０６は、操作者から動作状態を変更させる対象となる受変電設備３０の選択操作を受け付ける（ステップＳ１０４）。動作状態を変更させる対象となる受変電設備３０が選択されて実行ボタンが選択されると、シミュレーション部２０４はシミュレーションを実行する（ステップＳ１０５）。その後、シミュレーション部２０４は、現状の機器動作状態と、シミュレーション実行後の機器動作状態とを比較して動作状態が異なる受変電設備３０があるか否か判定する（ステップＳ１０６）。すなわち、シミュレーション部２０４は、差異あり設備があるか否か判定する。
【００３８】
ステップＳ１０６の処理において、差異あり設備がある場合（ステップＳ１０６−ＹＥＳ）、シミュレーション部２０４は差異あり設備の情報と差異なし設備の情報とを含む判別結果を入出力制御部２０５に出力する。ここで、差異あり設備の情報とは、例えば差異あり設備に該当する受変電設備３０の機器ＩＤ、機器名及び変更後の動作状態の情報である。差異なし設備の情報とは、例えば差異なし設備に該当する受変電設備３０の機器ＩＤ、機器名及び変更後の動作状態の情報である。その後、入出力制御部２０５は、出力された判別結果に基づいて差異あり設備の表示制御を行う（ステップＳ１０７）。具体的には、入出力制御部２０５は、現状の機器動作状態が付加されている系統データにおいて、判別結果に含まれる差異あり設備の情報で示される受変電設備３０の表示態様を、差異なし設備の情報で示される受変電設備３０の表示態様と異なる態様で表示させる。差異あり設備の情報で示される受変電設備３０の表示態様としては、例えば点滅させる、蛍光色を付加させるなどがある。なお、差異あり設備の情報で示される受変電設備３０の表示態様は上記に限定される必要はない。
【００３９】
ステップＳ１０７の処理後、又は、ステップＳ１０６の処理において、差異あり設備がない場合（ステップＳ１０６−ＮＯ）、入出力制御部２０５は、操作対象機器の変更指示が入力されたか否か判定する（ステップＳ１０８）。入出力制御部２０５は、所定時間の間、操作部２０６を介した指示の入力が無かった場合、又は、操作者からシミュレーション終了の指示が入力された場合に操作対象機器の変更指示が入力されなかったと判定する。また、入出力制御部２０５は、操作者から新たにシミュレーション画像上の受変電設備３０の選択がなされた場合に操作対象機器の変更指示が入力されたと判定する。
【００４０】
入出力制御部２０５が操作対象機器の変更指示が入力されなかったと判定した場合（ステップＳ１０８−ＮＯ）、入出力制御部２０５はその旨をシミュレーション部２０４に出力する。シミュレーション部２０４は、自装置の動作モードを通常モードに変更して処理を終了する。
一方、入出力制御部２０５が操作対象機器の変更指示が入力されたと判定した場合（ステップＳ１０８−ＹＥＳ）、監視制御装置２０はステップＳ１０４以降の処理を繰り返し実行する。
【００４１】
以上のように構成された第１の実施形態における監視制御装置２０によれば、操作者の操作ミスを減少させることができる。以下、この効果について詳細に説明する。
第１の実施形態における監視制御装置２０は、操作者からの指示に応じてシミュレーションモードで動作してシミュレーションを行う。このシミュレーションは、操作者が実際のボタンやレバーの操作を行う前に行われる。まず監視制御装置２０は、シミュレーションモードにおいて、操作者が選択した受変電設備３０の動作状態を変更した場合に、対象部屋に設けられている受変電設備３０の動作状態がどのように変更されるのかをシミュレーションする。次に、監視制御装置２０は、現状の機器動作状態と、シミュレーション実行後の機器動作状態とを比較して動作状態が異なる受変電設備３０の有無を判別する。そして、動作状態が異なる受変電設備３０がある場合、監視制御装置２０は差異あり設備と、差異なし設備とを異なる態様で表示する。監視制御装置２０は、このような表示を行うことで、操作者が実際にボタンやレバーを操作すると、現時点における対象部屋の電源系統上の受変電設備３０の動作状態がどのように変更されるのかを操作者に対して確認させることができる。操作者は、ボタンやレバーを操作する前に、シミュレーションモードによって実際にボタンやレバーを操作すると、どのような給電結果となるのかを把握することができる。そのため、操作者の操作ミスを減少させることが可能になる。
【００４２】
以下、第１の実施形態における監視制御装置２０の変形例について説明する。
第１の実施形態では、伝送処理部２０１、機器情報記憶部２０２、系統データ記憶部２０３、シミュレーション部２０４、入出力制御部２０５、操作部２０６及び表示部２０７の全ての機能部が１台の装置（監視制御装置２０）に備えられる構成を示したが、これに限定される必要はない。監視制御装置２０は、複数台の装置で構成されてもよい。例えば、監視制御装置２０が２台の装置で構成される場合、第１の装置と第２の装置とで構成される。第１の装置は、操作者からの指示の受付、判別結果の表示を行う。第２の装置は、シミュレーションを実行する。つまり、第１の装置は入出力制御部２０５、操作部２０６及び表示部２０７を備え、第２の装置は伝送処理部２０１、機器情報記憶部２０２、系統データ記憶部２０３及びシミュレーション部２０４を備えるように構成される。
本実施形態では、監視制御装置２０が、差異あり設備を、差異なし設備と異なる態様（例えば点滅させる、蛍光色を付加させる）で表示する構成を示したがこれに限定される必要はない。例えば、監視制御装置２０は、差異なし設備を、差異あり設備と異なる態様（例えば点滅させる、蛍光色を付加させる）で表示してもよい。
【００４３】
（第２の実施形態）
図７は、第２の実施形態における監視制御子局装置１０及び監視制御装置２０ａの機能構成を示す概略ブロック図である。
第２の実施形態では、監視制御装置２０ａが、差異あり設備の情報を音声により出力する。以下、具体的に説明する。なお、監視制御子局装置１０の構成は、第１の実施形態における監視制御子局装置１０の構成と同様であるため説明を省略する。
【００４４】
監視制御装置２０ａは、バスで接続されたＣＰＵやメモリや補助記憶装置などを備え、監視制御プログラムを実行する。監視制御プログラムの実行によって、監視制御装置２０ａは、伝送処理部２０１、機器情報記憶部２０２、系統データ記憶部２０３、シミュレーション部２０４、入出力制御部２０５ａ、操作部２０６、表示部２０７及び音声出力部２０８を備える装置として機能する。なお、監視制御装置２０ａの各機能の全て又は一部は、ＡＳＩＣやＰＬＤやＦＰＧＡ等のハードウェアを用いて実現されてもよい。また、監視制御装置２０ａは、専用のハードウェアによって実現されてもよい。監視制御プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ、半導体記憶装置（例えばＳＳＤ）等の可搬媒体、コンピュータシステムに内蔵されるハードディスクや半導体記憶装置等の記憶装置である。監視制御プログラムは、電気通信回線を介して提供されてもよい。
【００４５】
第２の実施形態における監視制御装置２０ａは、入出力制御部２０５に代えて入出力制御部２０５ａを備える点、音声出力部２０８を新たに備える点で監視制御装置２０と構成が異なる。監視制御装置２０ａは、他の構成については監視制御装置２０と同様である。そのため、監視制御装置２０ａ全体の説明は省略し、入出力制御部２０５ａ及び音声出力部２０８について説明する。
【００４６】
入出力制御部２０５ａは、監視制御装置２０ａ内のデータの入出力を制御する。例えば、入出力制御部２０５ａは、操作部２０６を介して入力された操作者からの操作指示をシミュレーション部２０４に出力する。また、例えば、入出力制御部２０５ａは、シミュレーション部２０４から出力された判別結果に基づいて、差異あり設備の情報を音声出力部２０８に音声出力させる。
【００４７】
音声出力部２０８は、スピーカーやヘッドホンやイヤホン等の音声出力装置である。音声出力部２０８は、シミュレーション部２０４による判別結果に基づいて、差異あり設備の情報を音声出力する。音声出力部２０８は、音声出力装置を監視制御装置２０ａに接続するためのインタフェースであってもよい。この場合、音声出力部２０８は、音声データを音声出力するための音声信号を生成し、自身に接続されている音声出力装置に音声信号を出力する。
【００４８】
図８は、第２の実施形態における監視制御装置２０ａのシミュレーション処理の流れを示すフローチャートである。なお、図８の処理は、操作者からシミュレーションを実行する旨が入力された場合に実行される。また、図８の処理開始時には、監視制御装置２０ａは通常モードで動作している。また、図６と同様の処理については、図８において図６と同様の符号を付して説明を省略する。
【００４９】
ステップＳ１０６の処理において、差異あり設備がある場合（ステップＳ１０６−ＹＥＳ）、シミュレーション部２０４は差異あり設備の情報と差異なし設備の情報とを含む判別結果を入出力制御部２０５ａに出力する。その後、入出力制御部２０５ａは、出力された判別結果に基づいて音声出力制御を行う（ステップＳ２０１）。具体的には、入出力制御部２０５ａは、差異あり設備の情報を音声出力部２０８に音声出力させる。音声出力部２０８は、入出力制御部２０５ａの制御に従って、差異あり設備の情報を音声出力する。
【００５０】
以上のように構成された第２の実施形態における監視制御装置２０ａによれば、操作者の操作ミスを減少させることができる。以下、この効果について詳細に説明する。
第２の実施形態における監視制御装置２０ａは、操作者からの指示に応じてシミュレーションモードで動作してシミュレーションを行う。このシミュレーションは、操作者が実際のボタンやレバーの操作を行う前に行われる。まず監視制御装置２０ａは、シミュレーションモードにおいて、操作者が選択した受変電設備３０の動作状態を変更した場合に、対象部屋に設けられている受変電設備３０の動作状態がどのように変更されるのかをシミュレーションする。次に、監視制御装置２０ａは、現状の機器動作状態と、シミュレーション実行後の機器動作状態とを比較して動作状態が異なる受変電設備３０の有無を判別する。そして、動作状態が異なる受変電設備３０がある場合、監視制御装置２０ａは差異あり設備の情報を音声によって通知する。監視制御装置２０ａは、このような通知を行うことで、操作者が実際にボタンやレバーを操作すると、現時点における対象部屋の電源系統上の受変電設備３０の動作状態がどのように変更されるのかを操作者に対して確認させることができる。操作者は、ボタンやレバーを操作する前に、シミュレーションモードによって実際にボタンやレバーを操作すると、どのような給電結果となるのかを把握することができる。そのため、操作者の操作ミスを減少させることが可能になる。
【００５１】
以下、第２の実施形態における監視制御装置２０ａの変形例について説明する。
第２の実施形態では、伝送処理部２０１、機器情報記憶部２０２、系統データ記憶部２０３、シミュレーション部２０４、入出力制御部２０５ａ、操作部２０６、表示部２０７及び音声出力部２０８の全ての機能部が１台の装置（監視制御装置２０ａ）に備えられる構成を示したが、これに限定される必要はない。監視制御装置２０ａは、複数台の装置で構成されてもよい。例えば、監視制御装置２０ａが２台の装置で構成される場合、第１の装置と第２の装置とで構成される。第１の装置は、操作者からの指示の受付、判別結果の音声による出力を行う。第２の装置は、シミュレーションを実行する。つまり、第１の装置は入出力制御部２０５ａ、操作部２０６、表示部２０７及び音声出力部２０８を備え、第２の装置は伝送処理部２０１、機器情報記憶部２０２、系統データ記憶部２０３及びシミュレーション部２０４を備えるように構成される。
監視制御装置２０ａは、音声出力の他に、第１の実施形態と同様に差異あり設備を、差異なし設備の情報と異なる態様で表示してもよい。
【００５２】
（第３の実施形態）
図９は、第３の実施形態における監視制御子局装置１０及び監視制御装置２０ｂの機能構成を示す概略ブロック図である。
第３の実施形態では、監視制御装置２０ｂが、差異あり設備の情報を印刷により出力する。以下、具体的に説明する。なお、監視制御子局装置１０の構成は、第１の実施形態における監視制御子局装置１０の構成と同様であるため説明を省略する。
【００５３】
監視制御装置２０ｂは、バスで接続されたＣＰＵやメモリや補助記憶装置などを備え、監視制御プログラムを実行する。監視制御プログラムの実行によって、監視制御装置２０ｂは、伝送処理部２０１、機器情報記憶部２０２、系統データ記憶部２０３、シミュレーション部２０４、入出力制御部２０５ｂ、操作部２０６、表示部２０７及び印字部２０９を備える装置として機能する。なお、監視制御装置２０ｂの各機能の全て又は一部は、ＡＳＩＣやＰＬＤやＦＰＧＡ等のハードウェアを用いて実現されてもよい。また、監視制御装置２０ｂは、専用のハードウェアによって実現されてもよい。監視制御プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ、半導体記憶装置（例えばＳＳＤ）等の可搬媒体、コンピュータシステムに内蔵されるハードディスクや半導体記憶装置等の記憶装置である。監視制御プログラムは、電気通信回線を介して提供されてもよい。
【００５４】
第３の実施形態における監視制御装置２０ｂは、入出力制御部２０５に代えて入出力制御部２０５ｂを備える点、印字部２０９を新たに備える点で監視制御装置２０と構成が異なる。監視制御装置２０ｂは、他の構成については監視制御装置２０と同様である。そのため、監視制御装置２０ｂ全体の説明は省略し、入出力制御部２０５ｂ及び印字部２０９について説明する。
【００５５】
入出力制御部２０５ｂは、監視制御装置２０ｂ内のデータの入出力を制御する。例えば、入出力制御部２０５ｂは、操作部２０６を介して入力された操作者からの操作指示をシミュレーション部２０４に出力する。また、例えば、入出力制御部２０５ｂは、シミュレーション部２０４による判別結果に基づいて、差異あり設備の情報を印字部２０９に印字出力させる。
印字部２０９は、入出力制御部２０５の制御に従って、差異あり設備の情報を媒体に印刷して出力する。媒体は、例えば用紙など印字が可能なものであればどのようなものであってもよい。
【００５６】
図１０は、第３の実施形態における監視制御装置２０ｂのシミュレーション処理の流れを示すフローチャートである。なお、図１０の処理は、操作者からシミュレーションを実行する旨が入力された場合に実行される。また、図１０の処理開始時には、監視制御装置２０ｂは通常モードで動作している。また、図６と同様の処理については、図１０において図６と同様の符号を付して説明を省略する。
【００５７】
ステップＳ１０６の処理において、差異あり設備がある場合（ステップＳ１０６−ＹＥＳ）、シミュレーション部２０４は差異あり設備の情報と差異なし設備の情報とを含む判別結果を入出力制御部２０５ｂに出力する。その後、入出力制御部２０５ｂは、出力された判別結果に基づいて印字出力制御を行う（ステップＳ３０１）。具体的には、入出力制御部２０５ｂは、差異あり設備の情報を印字部２０９に印字出力させる。印字部２０９は、入出力制御部２０５ｂの制御に従って、差異あり設備の情報を媒体に印刷して出力する。
【００５８】
以上のように構成された第３の実施形態における監視制御装置２０ｂによれば、操作者の操作ミスを減少させることができる。以下、この効果について詳細に説明する。
第３の実施形態における監視制御装置２０ｂは、操作者からの指示に応じてシミュレーションモードで動作してシミュレーションを行う。このシミュレーションは、操作者が実際のボタンやレバーの操作を行う前に行われる。まず監視制御装置２０ｂは、シミュレーションモードにおいて、操作者が選択した受変電設備３０の動作状態を変更した場合に、対象部屋に設けられている受変電設備３０の動作状態がどのように変更されるのかをシミュレーションする。次に、監視制御装置２０ｂは、現状の機器動作状態と、シミュレーション実行後の機器動作状態とを比較して動作状態が異なる受変電設備３０の有無を判別する。そして、動作状態が異なる受変電設備３０がある場合、監視制御装置２０ｂは差異あり設備の情報を媒体に印刷して通知する。監視制御装置２０ｂは、このような通知を行うことで、操作者が実際にボタンやレバーを操作すると、現時点における対象部屋の電源系統上の受変電設備３０の動作状態がどのように変更されるのかを操作者に対して確認させることができる。操作者は、ボタンやレバーを操作する前に、シミュレーションモードによって実際にボタンやレバーを操作すると、どのような給電結果となるのかを把握することができる。そのため、操作者の操作ミスを減少させることが可能になる。
【００５９】
以下、第３の実施形態における監視制御装置２０ｂの変形例について説明する。
第３の実施形態では、伝送処理部２０１、機器情報記憶部２０２、系統データ記憶部２０３、シミュレーション部２０４、入出力制御部２０５ｂ、操作部２０６、表示部２０７及び印字部２０９の全ての機能部が１台の装置（監視制御装置２０ｂ）に備えられる構成を示したが、これに限定される必要はない。監視制御装置２０ｂは、複数台の装置で構成されてもよい。例えば、監視制御装置２０ｂが２台の装置で構成される場合、第１の装置と第２の装置とで構成される。第１の装置は、操作者からの指示の受付、判別結果の印字による出力を行う。第２の装置は、シミュレーションを実行する。つまり、第１の装置は入出力制御部２０５ｂ、操作部２０６、表示部２０７及び印字部２０９を備え、第２の装置は伝送処理部２０１、機器情報記憶部２０２、系統データ記憶部２０３及びシミュレーション部２０４を備えるように構成される。
監視制御装置２０ｂは、印字出力の他に、第１の実施形態と同様に差異あり設備を、差異なし設備の情報と異なる態様で表示してもよい。
【００６０】
以下、各実施形態（第１の実施形態、第２の実施形態及び第３の実施形態）に共通する変形例について説明する。
所定の状態の別例として、操作者が予測した電源系統上の受変電設備３０の変更後の動作状態が挙げられる。操作者が予測した電源系統上の受変電設備３０の変更後の動作状態とは、操作者がシミュレーションモード画面に表示されている、ある受変電設備３０の動作状態を変更した場合に、連動して動作状態が変更されると予測した受変電設備３０の変更後の動作状態を表す。所定の状態が、操作者が予測した電源系統上の受変電設備３０の変更後の動作状態である場合、各実施形態では以下のような処理が行なわれる。なお、ここでは、各実施形態を代表して第１の実施形態を例に説明する。
【００６１】
まず、操作者は、シミュレーションモード画面が表示されると、操作部２０６を介して、動作状態の変更対象となる受変電設備３０の変更後の動作状態と、連動して動作状態が変更されると予測した受変電設備３０の変更後の動作状態とを予測動作状態として入力する。シミュレーション部２０４は、入力された予測動作状態を記憶する。その後、ステップＳ１０４の処理において、操作者は、予測動作状態として入力した、変更対象となる受変電設備３０を選択して変更後の動作状態を入力する。シミュレーション部２０４は、ステップＳ１０４の処理において入力された変更後の動作状態に基づいてシミュレーションを実行する。そして、シミュレーション部２０４は、予測動作状態と、シミュレーション結果とに基づいて、差異あり設備と差異なし設備とを判別する。そして、この処理における判別結果に基づいて、監視制御装置２０はステップＳ１０７の処理又はステップＳ１０８の処理を実行する。
【００６２】
上述したように構成されることによって、操作者が想定している受変電設備３０の変更後の動作状態と、シミュレーションによる受変電設備３０の変更後の動作状態とが比較される。そして、この比較結果において動作状態が異なる受変電設備３０があると判別された受変電設備３０がある場合には、操作者が想定している動作状態の変更と異なる変更が受変電設備３０に行われる可能性がある。このように動作状態が異なる受変電設備３０がある場合、監視制御装置２０は、差異あり設備と差異なし設備とを異なる表示態様で表示する。したがって、監視制御装置２０は、操作者が想定している変更と異なる変更があることを操作者に対して確認させることができる。操作者は、自身が予測した変更後の動作状態と異なる変更が行われる受変電設備３０を容易に把握することができる。そのため、操作者の操作ミスを減少させることが可能になる。
【００６３】
以上説明した少なくともひとつの実施形態によれば、シミュレーション対象となる建物内における電源系統上の複数の受変電設備３０のうち、操作者が選択した受変電設備３０の動作状態を変更した際に生じる当該受変電設備３０と異なる受変電設備３０の動作状態の変化をシミュレーションし、シミュレーション結果で示される複数の受変電設備３０の動作状態と、所定の状態における複数の受変電設備３０の動作状態とを比較して、シミュレーション結果で示される複数の受変電設備３０の動作状態と、所定の状態における複数の受変電設備３０の動作状態とで動作状態が異なる受変電設備３０の有無を判別するシミュレーション部２０４と、動作状態が異なる受変電設備３０がある場合、動作状態が異なる受変電設備３０の情報を出力する出力部（実施形態における表示部２０７、音声出力部２０８及び印字部２０９に相当）とを持つことにより、操作者の操作ミスを減少させることができる。
【００６４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６５】
１０（１０−１〜１０−Ｎ）…監視制御子局装置，２０、２０ａ、２０ｂ…監視制御装置，３０（３０ａ−１〜３０ａ−Ｍ、３０ｂ−１〜３０ｂ−Ｎ）…受変電設備，１０１…入出力部，１０２…伝送処理部，２０１…伝送処理部，２０２…機器情報記憶部，２０３…系統データ記憶部，２０４…シミュレーション部，２０５…入出力制御部，２０６…操作部，２０７…表示部（出力部），２０８…音声出力部（出力部），２０９…印字部（出力部）
【図１】
2016197374.tif 000003
【図２】
2016197374.tif 000004
【図３】
2016197374.tif 000005
【図４】
2016197374.tif 000006
【図５】
2016197374.tif 000007
【図６】
2016197374.tif 000008
【図７】
2016197374.tif 000009
【図８】
2016197374.tif 000010
【図９】
2016197374.tif 000011
【図１０】
2016197374.tif 000012